(57)【要約】【課題】  ズームが行なわれた場合であっても、ユーザが迅速に撮影対象物がどこに存在するかを認識することができる撮像装置及びそのプログラムを実現する。【解決手段】  ユーザによってズームアップ操作が行なわれると（Ｓ３でＹ）、ズームレンズ３がＷｉｄｅ端に位置しているか否かを判断し（Ｓ４）、ズームレンズがＷｉｄｅ端に位置していると判断するとＣＣＤ５により撮像された画像データをサブ画像データとしてバッファメモリに記憶し該記憶したサブ画像２２をスルー画像とともに表示させる（Ｓ５）。次いで、ユーザのズームキーの操作にしたがってズームレンズ３を移動させる（Ｓ６）。そして、ズーム操作に対応した大きさでズーム枠をサブ画像２２上に重ねて表示させる（Ｓ７）とともに位置算出部１１により算出された位置に基づいてズーム枠を表示させる（Ｓ８）。そして、ズームが終了したか否かを判断し、終了していない場合はステップＳ６に戻る。【選択図】      図２
2011101429.tif 000002
【特許請求の範囲】
【請求項１】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
を備えることを特徴とする撮像装置。
【請求項２】
前記ズーム操作手段により行なわれたズーム操作がズームアップ操作かズームダウン操作かを判断する第１の判断手段を備え、
前記表示制御手段は、
前記第１の判断手段によりズームアップ操作が行われたと判断された場合に、ズームアップ動作開始時に前記撮像手段により得られた画像データを表示させることを特徴とする請求項１記載の撮像装置。
【請求項３】
ズームアップ動作開始時に前記撮像手段により得られた画像データをサブ画像データとして記憶手段に記憶させる記憶制御手段を備え、
前記記憶制御手段は、
前記第１の判断手段によりズームアップ操作が行われたと判断された場合に、前記記憶手段に記憶されている画像データの記憶を更新し、
前記表示制御手段は、
前記記憶手段に記憶された画像データを前記表示手段に表示させることを特徴とする請求項２記載の撮像装置。
【請求項４】
前記表示制御手段は、
前記ズーム制御手段によるズームアップ動作中、及び／又は、ズームアップ動作の終了後一定時間、サブ画像データを表示させることを特徴とする請求項１乃至３の何れかに記載の撮像装置。
【請求項５】
前記ズーム制御手段によるズームアップ動作が終了してから所定時間経過したか否かを判断する第２の判断手段を備え、
前記表示制御手段は、
前記第２の判断手段によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させることを特徴とする請求項１乃至４の何れかに記載の撮像装置。
【請求項６】
前記ズーム制御手段によるズームアップ動作のズーム量が所定量以上であるか否かを判断する第３の判断手段を備え、
前記表示制御手段は、
前記第３の判断手段によりズームアップ動作のズーム量が所定量以上でないと判断された場合は、前記表示手段に表示させるサブ画像データの表示を更新させずに、既に表示されているサブ画像データをそのまま表示させることを特徴とする請求項１乃至４の何れかに記載の撮像装置。
【請求項７】
前記ズーム操作手段は、２つのズームアップ操作手段を含み、
前記表示制御手段は、
一方のズームアップ操作手段によりズームアップがされた場合のみ、ズームアップ動作開始時に前記撮像手段により得られた画像データを表示させることを特徴とする請求項１乃至４の何れかに記載の撮像装置。
【請求項８】
前記表示制御手段にサブ画像データが表示されているか否かを判断する第４の判断手段を備え、
前記表示制御手段は、
前記第４の判断手段によりサブ画像データが表示されていないと判断された場合であって、前記第２の判断手段により前記ズーム制御手段によるズームアップ動作が終了してから所定時間経過していないと判断され、且つ、前記ズーム制御手段により再びズームアップ動作が行なわれた場合、又は、前記第３の判断手段によりズームアップ動作のズーム量が所定量以上でないと判断された場合であっても、ズームアップ動作開始時に前記撮像手段により得られた画像データをサブ画像データとして表示させることを特徴とする請求項５又は６記載の撮像装置。
【請求項９】
前記表示制御手段は、
前記ズーム制御手段によるズームアップ動作が終了してから所定時間が経過した場合には、表示させるサブ画像データを該所定時間経過後に前記撮像手段により得られた画像データに更新させて表示させることを特徴とする請求項１乃至８の何れかに記載の撮像装置。
【請求項１０】
前記表示制御手段は、
前記ズームレンズがワイド端にある状態で、前記ズーム制御手段による前記光学ズーム手段の制御によりズームアップ動作が行なわれた場合は、前記動画撮像制御手段により得られる動画データを前記表示手段に表示させるとともに、ワイド端で前記撮像手段により得られた画像データをサブ画像データとして表示させることを特徴とする請求項１記載の撮像装置。
【請求項１１】
前記表示制御手段は、
前記ズーム制御手段による前記光学ズーム手段の制御により前記動画撮像制御手段により得られる動画データの画角が前記表示手段に表示されているサブ画像データの画角に達した場合には、サブ画像データの表示を禁止する手段を含むことを特徴とする請求項１乃至１０の何れかに記載の撮像装置。
【請求項１２】
前記表示制御手段は、
前記動画撮像制御手段により得られた動画データが、前記表示手段に表示されているサブ画像データのどの範囲に対応するかを示すズーム枠を該サブ画像データの画像上に重ねて表示させる手段を含むことを特徴とする請求項１乃至１１の何れかに記載の撮像装置。
【請求項１３】
前記表示制御手段は、
前記ズーム操作手段により行なわれたズーム操作に応じた大きさで前記ズーム枠を表示させることを特徴とする請求項１２記載の撮像装置。
【請求項１４】
前記ズーム枠の表示位置を検出する検出手段を備え、
前記表示制御手段は、
前記検出手段により検出された表示位置に応じて前記ズーム枠を表示させることを特徴とする請求項１２又は１３記載の撮像装置。
【請求項１５】
前記検出手段は、
前記動画撮像制御手段により得られた動画データと、表示されているサブ画像データとを画像認識することにより、表示位置を検出することを特徴とする請求項１４記載の撮像装置。
【請求項１６】
ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする撮像装置。
【請求項１７】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
を備えた撮像装置を実行させるためのプログラムであって、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる処理と、
を含むことを特徴とするプログラム。
【発明の詳細な説明】
【技術分野】
【０００１】
本発明は、撮像装置及びそのプログラムに係り、詳しくは、ズーム機能を搭載した撮像装置及びそのプログラムに関する。
【背景技術】
【０００２】
近年、撮像装置、例えば、デジタルカメラに内蔵されている光学ズーム機能により、ズームレンズを移動させ、ＣＣＤなどの撮像素子により撮像された画像を表示させることにより、ユーザが撮像されている画像を認識することができる。
しかしながら、ズームを行なうと、ユーザが元の画像全体に対してどの程度の範囲を拡大しているのかを確認することができないため、ズーム無しの場合における表示範囲に対して現在表示中の拡大画像がどの範囲であるかを示す拡大範囲情報に重ねて拡大画像を表示させることにより、ユーザにどの範囲が拡大されているのかを認識させるという技術も登場してきている（特許文献１）。
【先行技術文献】
【特許文献】
【０００３】
【特許文献１】公開特許公報  特開２００４−７２２０６
【発明の概要】
【発明が解決しようとする課題】
【０００４】
しかしながら、ズーム倍率が高くなるにつれて、撮影したい対象物がフレームアウトしてしまうと、該対象物を探せなくなってしまうという問題点があり、たとえ、該対象物を探せたとしても、時間がかかり、迅速に該対象物を撮影したい状況の場合には、該対象物を撮影することができなくなってしまうという問題点があった。
また、上記特許文献１記載の技術によれば、拡大範囲がズーム無しの表示範囲に対して、どの範囲であるかを認識することはできるが、上記した問題点を解決するには不十分な技術であった。
【０００５】
そこで本発明は、かかる従来の問題点に鑑みてなされたものであり、ズームが行なわれた場合であっても、ユーザが迅速に撮影対象物がどこに存在するかを認識することができる撮像装置及びそのプログラムを提供することを目的とする。
【課題を解決するための手段】
【０００６】
上記目的達成のため、請求項１記載の発明による撮像装置は、被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
を備えることを特徴とする。
【０００７】
また、例えば、請求項２に記載されているように、前記ズーム操作手段により行なわれたズーム操作がズームアップ操作かズームダウン操作かを判断する第１の判断手段を備え、
前記表示制御手段は、
前記第１の判断手段によりズームアップ操作が行われたと判断された場合に、ズームアップ動作開始時に前記撮像手段により得られた画像データを表示させるようにしてもよい。
【０００８】
また、例えば、請求項３に記載されているように、ズームアップ動作開始時に前記撮像手段により得られた画像データをサブ画像データとして記憶手段に記憶させる記憶制御手段を備え、
前記記憶制御手段は、
前記第１の判断手段によりズームアップ操作が行われたと判断された場合に、前記記憶手段に記憶されている画像データの記憶を更新し、
前記表示制御手段は、
前記記憶手段に記憶された画像データを前記表示手段に表示させるようにしてもよい。
【０００９】
また、例えば、請求項４に記載されているように、前記表示制御手段は、
前記ズーム制御手段によるズームアップ動作中、及び／又は、ズームアップ動作の終了後一定時間、サブ画像データを表示させるようにしてもよい。
【００１０】
また、例えば、請求項５に記載されているように、前記ズーム制御手段によるズームアップ動作が終了してから所定時間経過したか否かを判断する第２の判断手段を備え、
前記表示制御手段は、
前記第２の判断手段によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させるようにしてもよい。
【００１１】
また、例えば、請求項６に記載されているように、前記ズーム制御手段によるズームアップ動作のズーム量が所定量以上であるか否かを判断する第３の判断手段を備え、
前記表示制御手段は、
前記第３の判断手段によりズームアップ動作のズーム量が所定量以上でないと判断された場合は、前記表示手段に表示させるサブ画像データの表示を更新させずに、既に表示されているサブ画像データをそのまま表示させるようにしてもよい。
【００１２】
また、例えば、請求項７に記載されているように、前記ズーム操作手段は、２つのズームアップ操作手段を含み、
前記表示制御手段は、
一方のズームアップ操作手段によりズームアップがされた場合のみ、ズームアップ動作開始時に前記撮像手段により得られた画像データを表示させるようにしてもよい。
【００１３】
また、例えば、請求項８に記載されているように、前記表示制御手段にサブ画像データが表示されているか否かを判断する第４の判断手段を備え、
前記表示制御手段は、
前記第４の判断手段によりサブ画像データが表示されていないと判断された場合であって、前記第２の判断手段により前記ズーム制御手段によるズームアップ動作が終了してから所定時間経過していないと判断され、且つ、前記ズーム制御手段により再びズームアップ動作が行なわれた場合、又は、前記第３の判断手段によりズームアップ動作のズーム量が所定量以上でないと判断された場合であっても、ズームアップ動作開始時に前記撮像手段により得られた画像データをサブ画像データとして表示させるようにしてもよい。
【００１４】
また、例えば、請求項９に記載されているように、前記表示制御手段は、
前記ズーム制御手段によるズームアップ動作が終了してから所定時間が経過した場合には、表示させるサブ画像データを該所定時間経過後に前記撮像手段により得られた画像データに更新させて表示させるようにしてもよい。
【００１５】
また、例えば、請求項１０に記載されているように、前記表示制御手段は、
前記ズームレンズがワイド端にある状態で、前記ズーム制御手段による前記光学ズーム手段の制御によりズームアップ動作が行なわれた場合は、前記動画撮像制御手段により得られる動画データを前記表示手段に表示させるとともに、ワイド端で前記撮像手段により得られた画像データをサブ画像データとして表示させるようにしてもよい。
【００１６】
また、例えば、請求項１１に記載されているように、前記表示制御手段は、
前記ズーム制御手段による前記光学ズーム手段の制御により前記動画撮像制御手段により得られる動画データの画角が前記表示手段に表示されているサブ画像データの画角に達した場合には、サブ画像データの表示を禁止する手段を含むようにしてもよい。
【００１７】
また、例えば、請求項１２に記載されているように、前記表示制御手段は、
前記動画撮像制御手段により得られた動画データが、前記表示手段に表示されているサブ画像データのどの範囲に対応するかを示すズーム枠を該サブ画像データの画像上に重ねて表示させる手段を含むようにしてもよい。
【００１８】
また、例えば、請求項１３に記載されているように、前記表示制御手段は、
前記ズーム操作手段により行なわれたズーム操作に応じた大きさで前記ズーム枠を表示させるようにしてもよい。
【００１９】
また、例えば、請求項１４に記載されているように、前記ズーム枠の表示位置を検出する検出手段を備え、
前記表示制御手段は、
前記検出手段により検出された表示位置に応じて前記ズーム枠を表示させるようにしてもよい。
【００２０】
また、例えば、請求項１５に記載されているように、前記検出手段は、
前記動画撮像制御手段により得られた動画データと、表示されているサブ画像データとを画像認識することにより、表示位置を検出するようにしてもよい。
【００２１】
上記目的達成のため、請求項１６記載の発明による撮像装置は、ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする。
【００２２】
上記目的達成のため、請求項１７記載の発明によるプログラムは、被写体の光を画像データに変換する撮像素子と、
前記撮像手段を用いて被写体の動画の撮像を行なう動画撮像制御手段と、
ズームレンズ３を光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
を備えた撮像装置を実行させるためのプログラムであって、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる処理と、
を含むことを特徴とする。
【発明の効果】
【００２３】
請求項１記載の発明によれば、被写体の光を画像データに変換する撮像手段と、前記撮像手段を用いて被写体の動画の撮像を行なう動画撮像制御手段と、ズームレンズを光軸方向に移動させることにより被写体に対してズームを行なう光学ズーム手段と、ユーザがズーム操作を行なうためのズーム操作手段と、前記ズーム操作手段により行なわれたズーム操作に応じて前記光学ズーム手段のズーム動作を制御するズーム制御手段と、前記ズーム制御手段による前記光学ズーム手段の制御によりズームアップ動作が行なわれた場合は、前記動画撮像制御手段により得られる動画データを表示手段に表示させるとともにズームアップ動作開始時に前記撮像手段により得られた画像データをサブ画像データとして表示させる表示制御手段と、を備えるようにしたので、ズームアップ後に撮影対象物がフレームアウトした場合であっても、サブ画像を見ることにより該対象物がどこに存在するかをユーザは認識することができる。
また、ズームアップが行なわれる前に撮像された画像をサブ画像として表示させるので、ズームアップが行われてもユーザはズーム前の画角でカメラを構え続けているような感覚を得ることができる。
【００２４】
請求項２又は３記載の発明によれば、前記ズーム操作手段により行なわれたズーム操作がズームアップ操作かズームダウン操作かを判断する第１の判断手段を備え、前記表示制御手段は、前記第１の判断手段によりズームアップ操作が行われたと判断された場合に、ズームアップ動作開始時に前記撮像手段により得られた画像データをサブ画像データとして表示させるようにしたので、ズームアップ操作がされるたびに、表示させるサブ画像を更新させていくことができ、フレームアウトした場合であっても、撮影対象物を迅速に捕らえることができる。
【００２５】
請求項４記載の発明によれば、前記表示制御手段は、前記ズーム制御手段によるズームアップ動作中、及び／又は、ズームアップ動作の終了後一定時間、サブ画像データを表示させるようにしたので、フレームアウトした場合であっても、撮影対象物を迅速に捕らえることができる。また、一定時間サブ画像データを表示させるので、サブ画像データは絶えず表示されるという煩わしさを無くすことができる。
【００２６】
請求項５記載の発明によれば、前記ズーム制御手段によるズームアップ動作が終了してから所定時間経過したか否かを判断する第２の判断手段を備え、前記表示制御手段は、前記第２の判断手段によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させるようにしたので、ズームを小刻みに行なう場合が多いズーム調整時には、不必要にサブ画像の更新を行なわなくてすみ、また、小刻みにサブ画像が更新されるというユーザの煩わしさを無くすことができる。
【００２７】
請求項６記載の発明によれば、前記ズーム制御手段によるズームアップ動作のズーム量が所定量以上であるか否かを判断する第３の判断手段を備え、前記表示制御手段は、前記第３の判断手段によりズームアップ動作のズーム量が所定量以上でないと判断された場合は、前記表示手段に表示させるサブ画像データの表示を更新させずに、既に表示されているサブ画像データをそのまま表示させるようにしたので、ズームを小刻みに行なう場合が多いズーム調整時には、不必要にサブ画像の更新を行なわなくてすみ、また、小刻みにサブ画像が更新されるというユーザの煩わしさを無くすことができる。
【００２８】
請求項７記載の発明によれば、前記ズーム操作手段は、２つのズームアップ操作手段を含み、前記表示制御手段は、一方のズームアップ操作手段によりズームアップがされた場合のみ、ズームアップ動作開始時に前記撮像手段により得られた画像データを表示させるようにしたので、ユーザはサブ画像の更新を行なうか否かを選択することができる。つまり、サブ画像を更新させた場合は一方のズームアップ操作手段を操作し、サブ画像を更新させたくない場合には他方のズームアップ操作手段を操作することにより、サブ画像の更新をユーザが選択することができる。
【００２９】
請求項８記載の発明によれば、前記表示制御手段にサブ画像データが表示されているか否かを判断する第４の判断手段を備え、前記表示制御手段は、前記第４の判断手段によりサブ画像データが表示されていないと判断された場合であって、前記第２の判断手段により前記ズーム制御手段によるズームアップ動作が終了してから所定時間経過していないと判断され、且つ、前記ズーム制御手段により再びズームアップ動作が行なわれた場合、又は、前記第３の判断手段によりズームアップ動作のズーム量が所定量以上でないと判断された場合であっても、ズームアップ動作開始時に前記撮像手段により得られた画像データをサブ画像データとして表示させるようにしたので、サブ画像が表示されていないときに、ズームアップ動作が行われた場合には、サブ画像を表示させることができる。
【００３０】
請求項９記載の発明によれば、前記表示制御手段は、前記ズーム制御手段によるズームアップ動作が終了してから所定時間経過した場合には、表示させるサブ画像データを該所定時間経過後に前記撮像手段により得られた画像データに更新して表示させるようにしたので、所定時間が経過した場合には、一律にサブ画像データを更新させることができる。
【００３１】
請求項１０記載の発明によれば、前記表示制御手段は、前記ズームレンズがワイド端にある状態で、前記ズーム制御手段による前記光学ズーム手段の制御によりズームアップが行なわれた場合は、前記動画撮像制御手段により得られる動画データを前記表示手段に表示させるとともに、ワイド端で前記撮像手段により得られた画像データをサブ画像データとして表示させるようにしたので、ズームアップ後に撮影対象物がフレームアウトした場合であっても、サブ画像を見ることにより該対象物がどこに存在するかをユーザは認識することができる。
また、ズームアップが行なわれる前に撮像された画像をサブ画像として表示させるので、ズームアップが行われてもユーザはズーム前の画角でカメラを構え続けているような感覚を得ることができる。
【００３２】
請求項１１記載の発明によれば、前記表示制御手段は、前記ズーム制御手段による前記光学ズーム手段の制御により前記動画撮像制御手段により得られる動画データの画角が前記表示手段に表示されているサブ画像データの画角に達した場合には、サブ画像データの表示を禁止する手段を含むようにしたので、必要のないサブ画像データの表示を行わなくてすむ。
【００３３】
請求項１２記載の発明によれば、前記表示制御手段は、前記動画撮像制御手段により得られた動画データが、前記表示手段に表示されているサブ画像データのどの範囲に対応するかを示すズーム枠を該サブ画像データの画像上に重ねて表示させる手段を含むようにしたので、ユーザは、現在サブ画像上のどの範囲を撮像しているのかをすぐに認識することができ、撮影対象物がフレームアウトした場合であっても、該撮影対象物を迅速に捕らえることができる。
【００３４】
請求項１３記載の発明によれば、前記表示制御手段は、前記ズーム手段により行なわれたズーム操作に応じた大きさで前記ズーム枠を表示させるようにしたので、撮影している画像の画角と同じ画角のズーム枠を表示させることができる。
【００３５】
請求項１４記載の発明によれば、前記ズーム枠の表示位置を検出する検出手段を備え、前記表示制御手段は、前記検出手段により検出された表示位置に応じて前記ズーム枠を表示させるようにしたので、撮像している画像と同じ位置にズーム枠を表示させることができる。
【００３６】
請求項１５記載の発明によれば、前記検出手段は、前記動画撮像制御手段により得られた動画データと、表示されているサブ画像データとを画像認識することにより、表示位置を検出するようにしたので、撮像している画像と同じ画像がサブ画像上のどの位置にあるかを検出し、該検出した位置を表示位置とすることができ、撮像している画像と同じ位置にズーム枠を表示させることができる。
【００３７】
請求項１６記載の発明によれば、ズームレンズと、前記ズームレンズを介して投影された被写体の光を画像データに変換する第１の撮像手段と、前記ズームレンズを光軸方向に移動させることにより被写体に対してズームを行なうズーム制御手段と、被写体の光を画像データに変換する第２の撮像手段と、前記第１の撮像手段により得られた画像データ及び前記第２の撮像手段により得られた画像データを表示手段に表示させる表示制御手段と、を備え、前記第２の撮像手段により得られる画像データの画角は、前記ズームレンズがワイド端に位置するときに前記第１の撮像手段により得られるが画像データの画角と略同一であるようにしたので、ズームアップ後に撮影対象物がフレームアウトした場合であっても、サブ画像を見ることにより該対象物がどこに存在するかをユーザは認識することができる。
また、ズームアップが行なわれる前に撮像された画像をサブ画像として表示させるので、ズームアップが行われてもユーザはズーム前の画角でカメラを構え続けているような感覚を得ることができる。
【００３８】
請求項１７記載の発明によれば、デジタルカメラ、パソコン等に読み込ませることにより、本発明の撮像装置を実現することができる。
【図面の簡単な説明】
【００３９】
【図１】本発明の実施の形態のデジタルカメラのブロック図である。
【図２】第１の実施の形態のデジタルカメラの動作を示すフローチャートである。
【図３】第１の実施の形態のデジタルカメラの動作を示すフローチャートである。
【図４】ズームアップ前後の画像表示部１６に表示される画面の様子を示す図である。
【図５】第２の実施の形態のデジタルカメラの動作を示すフローチャートである。
【図６】第２の実施の形態のデジタルカメラの動作を示すフローチャートである。
【図７】変形例を説明するための図である。
【図８】変形例を説明するための図である。
【図９】変形例を説明するための図である。
【図１０】変形例を説明するための図である。
【発明を実施するための形態】
【００４０】
以下、本実施の形態について、本発明の撮像装置をデジタルカメラに適用した一例として図面を参照して詳細に説明する。
［第１の実施の形態］
Ａ．デジタルカメラの構成
図１は、本発明の撮像装置を実現するデジタルカメラ１の電気的な概略構成を示すブロック図である。
デジタルカメラ１は、フォーカスレンズ２、ズームレンズ３、レンズ駆動ブロック４、ＣＣＤ５、垂直ドライバ６、ＴＧ（timing generator）７、ユニット回路８、信号処理部９、ＣＰＵ１０、位置算出部１１、ＤＲＡＭ１２、ＲＯＭ１３、フラッシュメモリ１４、キー入力部１５、画像表示部１６を備えている。
【００４１】
フォーカスレンズ２及びズームレンズ３は、図示しない複数のレンズ群からなり、フォーカスレンズ２及びズームレンズ３にレンズ駆動ブロック４が接続されている。
レンズ駆動ブロック４は、フォーカスレンズ２を光軸方向に移動させるフォーカスモータ４０ａ、及び、ズームレンズ３を光軸方向に移動させるズームモータ４０ｂと、ＣＰＵ１０から送られてくる制御信号にしたがってフォーカスモータ４０ａ及びズームモータ４０ｂをそれぞれ駆動させるモータドライバ４１ａ、４１ｂとから構成されている。
【００４２】
ＣＣＤ５は、垂直ドライバ６によって走査駆動され、一定周期毎に被写体像のＲＧＢ値の各色の光の強さを光電変換して撮像信号（画像データ）としてユニット回路８に出力する。この垂直ドライバ６、ユニット回路８の動作タイミングはＴＧ７を介してＣＰＵ１０により制御される。
【００４３】
ユニット回路８にはＴＧ７が接続されており、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路８を経てデジタル信号として信号処理部９に送られる。
【００４４】
信号処理部９は、ユニット回路８から送られてきた画像データに対して画素補間処理、γ補正、ホワイトバランス処理などの処理を施すとともに輝度色差信号（ＹＵＶ）を生成し、該生成した輝度色差信号の画像データはＣＰＵ１０に送られる。
【００４５】
ＣＰＵ１０は、スルー画像表示とともに後述するサブ画像の表示処理及びズーム枠の表示処理、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。また、ＣＰＵ１０は、クロック回路を含み、このクロック回路は日付、時刻を計時するとともにタイマーとしての機能も有する。
ＲＯＭ１３には、ＣＰＵ１０の各部に制御に必要な制御プログラム、及び必要なデータが記録されており、ＣＰＵ１０は、該プログラムに従い動作する。
【００４６】
特に、本実施の形態では、ＣＰＵ１０は、キー入力部１５のズームキーの操作にしたがってズームレンズ３を光軸方向に移動させる機能、ズームキーの「Ｔキー」の操作時にＣＣＤ５に撮像された画像データをサブ画像データとして記憶させる機能、また、該サブ画像データの画像（サブ画像）を画像表示部１６に表示させる機能を有する。
また、現在撮像されている画像データが、該記憶したサブ画像のどの部分に対応するかを示すズーム枠をサブ画像上に表示させる機能を有する。
このサブ画像上に表示させるズーム枠の表示位置は、位置算出部１１によって算出された位置にしたがって表示させ、表示させるズーム枠の大きさは、ズームキーの操作にしたがって変化する。例えば、「Ｔキー」の操作が行なわれた場合は、表示させるズーム枠は小さくなり、「Ｗキー」の操作が行なわれた場合は、表示させるズーム枠は大きくなる。
【００４７】
位置算出部１１は、後述するサブ画像上に表示させるズーム枠の位置を算出するものであり、この算出されたズーム枠の位置により、現在撮像され、スルー画像表示されている画像データがサブ画像のどの部分に対応する画像であるかを認識することができる。
この位置算出部１１は、ジャイロセンサを内蔵することによりデジタルカメラ１の位置を常時算出することにより、サブ画像データが記憶されたときのデジタルカメラ１の位置と、現在スルー画像表示されている画像データが撮像されたときのデジタルカメラ１の位置とを比較することによりズーム枠の位置を算出するようにしてもよいし、画像認識処理により、サブ画像と、現在撮像されている画像データの画像との認識、対比を行なうことにより、ズーム枠の位置を算出するようにしてもよい。
なお、ここでは、画像認識により表示させるズーム枠の位置を算出するようにする。具体的には、サブ画像上において、現在撮像されている画像データの画像と一致する部分を検索し、この検索された部分を取り囲むようにズーム枠を表示させることになる。
【００４８】
ＤＲＡＭ１２は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１４は、ＣＣＤ５によって撮像され、ＣＰＵ１０によって圧縮された画像データなどを保存しておく記録媒体である。
【００４９】
キー入力部１５は、シャッタボタン、モード切替キー、ズームキー（「Ｗ」キー、「Ｔ」キー）、十字キー等の複数の操作キーを含み、ユーザのキー操作に応じた操作信号をＣＰＵ１０に出力する。
画像表示部１６は、カラーＬＣＤとその駆動回路を含み、撮影待機状態にあるときには、ＣＣＤ５によって撮像された被写体をスルー画像として表示し、記録画像の再生時には、フラッシュメモリ１４から読み出され、伸張された記録画像を表示させる。
【００５０】
Ｂ．デジタルカメラ１の動作
実施の形態におけるデジタルカメラ１の動作を図２及び３のフローチャートにしたがって説明する。
ユーザのモード切替キーの操作により撮影モードに設定されると、ＣＰＵ１０は、ＣＣＤ５により撮像を開始させ、信号処理部９によって生成された輝度色差信号の画像データをバッファメモリに記憶させ、該記憶された被写体の画像データを画像表示部１６に表示させるというスルー画像表示を開始させる（ステップＳ１）。なお、撮影モード設定当初、ズームレンズ３はＷｉｄｅ端に位置しているものとする。
【００５１】
次いで、ＣＰＵ１０は、ユーザによってズーム操作が行なわれたか否かの判断を行う（ステップＳ２）。このズーム操作が行なわれたか否かの判断は、ズームキー（「Ｔ」キー、「Ｗ」キー）の操作に対応する操作信号がキー入力部１５から送られてきたか否かにより判断する。なお、ズームレンズ３がＷｉｄｅ端にある状態で、「Ｗ」キーの操作が行なわれた場合や、ズームレンズ３がＴｅｌｅ端にある状態で、「Ｔ」キーの操作が行なわれた場合には、それ以上、ズームレンズ３を動かすことはできないので、ズーム操作が行なわれたと判断しない。
【００５２】
ステップＳ２で、ズーム操作が行われていないと判断するとステップＳ１４に進み、ステップＳ２で、ズーム操作が行われたと判断すると、ＣＰＵ１０は、ズーム操作は、ズームアップ操作であるか否かの判断を行う（ステップＳ３）。この判断は、「Ｔ」キーの操作に対応する操作信号がキー入力部１５から送られてきたか否かにより判断する。
【００５３】
ステップＳ３で、ズームアップ操作であると判断すると、ズームレンズ３がＷｉｄｅ端に位置しているか否かの判断を行う（ステップＳ４）。
ステップＳ４で、ズームレンズ３がＷｉｄｅ端に位置していると判断すると、ＣＰＵ１０は、現在ＣＣＤ５により撮像された画像データをサブ画像データとしてバッファメモリのサブ画像記憶領域に記憶し、該記憶したサブ画像データの画像（サブ画像）をスルー画像とともに、画像表示部１６に表示させる処理を開始する（ステップＳ５）。
【００５４】
図４（ａ）は、ズームレンズ３がＷｉｄｅ端に位置している状態でズームアップ操作が開始された時点においてＣＣＤ５により撮像され、画像表示部１６に表示された画像の様子を示すものであり（ここでは、被写体２１の全身が撮像されてスルー画像表示されている）、この表示された画像データがサブ画像データとしてバッファメモリのサブ画像記憶領域に記憶されることとなる。
【００５５】
次いで、ＣＰＵ１０は、ズームアップ操作にしたがって（キー入力部１５から送られてくる「Ｔ」キーの操作信号にしたがって）、レンズ駆動ブロック４に制御信号を送ることによりズームレンズ３を移動させる（ステップＳ６）。
次いで、ＣＰＵ１０は、ズーム操作に対応した大きさで、ズーム枠をサブ画像上に表示させる（ステップＳ７）とともに、位置算出部１１により算出された位置に基づく位置にズーム枠を表示させる（ステップＳ８）。
【００５６】
このズーム操作に対応した大きさでとは、現在のズーム倍率に対応する大きさでと同じ意味であり、現在撮像している画像の画角の大きさと、ズーム枠内の画角の大きさとが同じ大きさになるように表示させることとなる。つまり、ズームアップが行なわれると（ズームキーの「Ｔ」キーの操作が行なわれると）、表示されるズーム枠の画角の大きさもズームアップに応じて段々小さくなり、ズームダウンが行なわれると（ズームキーの「Ｗ」キーの操作が行なわれると）、表示されるズーム枠の画角の大きさもズームダウンに応じて段々大きくなるということになる。
このズーム操作に対応した大きさ及び算出された位置に基づいて、ズーム枠を表示させることにより、現在撮像している画像がサブ画像上のどの範囲の画像であるかをユーザは容易に認識することができる。
【００５７】
なお、ＣＰＵ１０は、後述するようにサブ画像を画像表示部１６に表示させている間は、位置算出部１１にズーム枠の表示位置の算出を一定周期毎に行わせている。また、ここでは、位置算出部１１は、画像認識処理によりサブ画像と現在撮像された画像（スルー画像表示されている画像）とを認識し、対比することによりズーム枠の表示位置を算出するようにする。
【００５８】
次いで、ＣＰＵ１０は、ズームが終了したか否かの判断を行う（ステップＳ９）。このズームが終了したか否かの判断は、ズームアップ操作に対応する操作信号がキー入力部１５から連続して送られてこなくなった場合、あるいはズームレンズ３がＴｅｌｅ端に達した場合には、ズームが終了したと判断する。
ステップＳ９で、ズームが終了していないと判断するとステップＳ６に戻り、ステップＳ９で、ズームが終了したと判断するとステップＳ１４に進む。
【００５９】
図４（ｂ）は、ズームが終了したときにスルー画像とともに表示されるサブ画像及びズーム枠の様子を示すものである。
ズームアップ終了後に撮像されている被写体のスルー画像データ（被写体２１の顔）が画像表示部１６に大きく表示されており、その右下にバッファメモリのサブ画像記憶領域に記憶されているサブ画像データの画像（サブ画像）２２が表示されており、そのサブ画像２２上に重ねてズーム枠２３が表示されているのがわかる。
このズーム枠２３内の画像と、現在スルー画像表示されている画像とを見比べると略同一画角の画像であることがわかる。つまり、このサブ画像２２と、ズーム枠２３とにより現在撮像している画像データの範囲を簡単に知ることができる。
【００６０】
一方、ステップＳ４で、ズームレンズ３がＷｉｄｅ端に位置していないと判断すると、ＣＰＵ１０は、ズームアップ操作にしたがって（キー入力部１５から送られてくる「Ｔ」キーの操作信号にしたがって）、レンズ駆動ブロック４に制御信号を送ることによりズームレンズ３を移動させるとともに（ステップＳ１０）、ズーム操作に対応した大きさ、位置算出部１１により算出された位置に基づいてズーム枠をサブ画像上に表示させる（ステップＳ１１、ステップＳ１２）。ズームレンズ３がＷｉｄｅ端に位置していないときにはサブ画像が既に表示されているので、ズーム操作等に対応してズーム枠２３を表示させることとなる。
【００６１】
次いで、ＣＰＵ１０は、ズームが終了したか否かの判断を行い（ステップＳ１３）、ズームが終了していない場合はステップＳ１０に戻り、ズームが終了した場合（ズームアップ操作に対応する操作信号がキー入力部１５から連続して送られてこなくなった場合、あるいはズームレンズ３がＴｅｌｅ端に達した場合）にはステップＳ１４に進む。
ステップＳ１４に進むと、ＣＰＵ１０は、ズームレンズ３がＷｉｄｅ端に位置しているか否かの判断を行い、Ｗｉｄｅ端にズームレンズ３が位置していると判断するとそのままステップＳ１６に進み、Ｗｉｄｅ端にズームレンズ３が位置していないと判断すると、ＣＰＵ１０は、位置算出部１１により算出された位置に基づいてズーム枠２３を表示させて（ステップＳ１５）、ステップＳ１６に進む。
ステップＳ１６に進むと、ＣＰＵ１０は、ユーザによってシャッタボタンが押下されたか否かの判断を行う。この判断は、シャッタボタン押下に対応する操作信号がキー入力部１５から送られてきたか否かにより判断する。
ステップＳ１６で、シャッタボタンが押下されていないと判断するとステップＳ２に戻る。
【００６２】
一方、ステップＳ３で、ズームアップ操作でないと判断された場合は、ズームダウン操作であると判断して、図３のステップＳ１７に進み、ＣＰＵ１０は、ズームダウン操作にしたがって（キー入力部１５から送られてくる「Ｗ」キーの操作に対応する操作信号にしたがって）、レンズ駆動ブロック４に制御信号を送ることによりズームレンズ３を移動させる。
次いで、ＣＰＵ１０は、ズーム操作に対応した大きさで、ズーム枠２３をサブ画像２２上に重ねて表示させる（ステップＳ１８）とともに、位置算出部１１により算出された位置に基づく位置にズーム枠２３を表示させる（ステップＳ１９）。
次いで、ＣＰＵ１０は、ズームレンズ３がＷｉｄｅ端に達したか否かを判断する（ステップＳ２０）。
ステップＳ２０で、ズームレンズ３がＷｉｄｅ端に達していないと判断すると、ＣＰＵ１０は、ズームダウン操作が終了したか否かを判断し（ステップＳ２１）、ズームダウン操作が終了していない場合はステップＳ１７に戻り、ズームダウン操作が終了した場合には図２のステップＳ１４に進む。
【００６３】
一方、ステップＳ２０で、ズームレンズ３がＷｉｄｅ端に達したと判断すると、サブ画像２２及びズーム枠２３の表示を禁止して（ステップＳ２２）、図２のステップＳ１４に進む。ズームレンズ３がＷｉｄｅ端にある場合（つまり、ズーム枠２３の大きさとサブ画像２２の大きさが同じ場合）にはスルー画像表示されている画像の画角とサブ画像２２の画角は同じなので、サブ画像２２を表示させる意味がないからである。
【００６４】
ステップＳ１６で、シャッタボタンが押下されたと判断すると、ＣＰＵ１０は、静止画撮影処理を行い、該撮影処理により得られた静止画像データを圧縮してフラッシュメモリ１４に記録させる（ステップＳ２３）。
なお、静止画撮影記録処理を行うと、ＣＰＵ１０は、ズームレンズ３をＷｉｄｅ端に移動させる処理を行うようにしてもよいし、Ｗｉｄｅ端でサブ画像データの取得後、再び静止画撮影時のレンズ位置にズームレンズ３を移動させるようにしてもよい。
次いで、ＣＰＵ１０は、該フラッシュメモリ１４に記録させた静止画像データを伸張して画像表示部１６にプレビュー表示させる（ステップＳ２４）。
【００６５】
このように、ズームレンズ３がＷｉｄｅ端にある状態でズームアップ操作を行なうと、スルー画像とともにＷｉｄｅ端で撮像された画像をサブ画像として表示させる。また、算出された表示位置、ズームアップ操作に対応した大きさでサブ画像２２上にズーム枠２３を表示させていく。このとき、ズームアップ操作に応じて表示されるズーム枠２３の大きさは段々と小さくなっていく。
また、ズームダウン操作が行なわれると、算出された位置、ズームダウン操作に対応した大きさでズーム枠２３をサブ画像２２上に表示させる。このときは、ズームダウン操作に応じて表示されるズーム枠２３の大きさは段々と大きくなっていく。そして、ズームダウン操作によりズームレンズ３がＷｉｄｅ端に達すると（ズーム枠２３の大きさが、サブ画像と同じ大きさになると）、サブ画像２２及びズーム枠２３の表示を禁止する。
【００６６】
Ｃ．以上のように、第１の実施の形態においては、ズームレンズ３がＷｉｄｅ端にある状態で、ズームアップが行なわれると、Ｗｉｄｅ端で撮像された画像データをサブ画像データとして記憶し、該記憶したサブ画像２２をスルー画像とともに表示させるので、ズームアップ後に撮影対象物がフレームアウトした場合であっても、サブ画像２２を見ることにより該対象物がどこに存在するのかをユーザは認識することができる。
また、サブ画像２２上にズーム枠２３を表示させるので、今どこの範囲をズームしているのかをユーザは認識することができる。
また、Ｗｉｄｅ端で撮像された画像をサブ画像２２として表示させるので、ズームアップが行われてもユーザはＷｉｄｅ端の画角でカメラを構え続けているような感覚を得ることができる。
また、ズームレンズ３がＷｉｄｅ端に位置すると、サブ画像２２及びズーム枠２３の表示を禁止するので、不必要なサブ画像等の表示を行わなくてすみ、絶えずサブ画像が表示されるという煩わしさを回避することができる。
【００６７】
［第２の実施の形態］
次に第２の実施の形態について説明する。
第１の実施の形態においては、Ｗｉｄｅ端にズームレンズ３があるときに、ズームアップ操作を行なうと、Ｗｉｄｅ端で得られた画像データをサブ画像データとして表示させるようにしたが、第２の実施の形態においては、原則としてズームアップがされる度に、表示させるサブ画像を更新させるというものである。
【００６８】
Ｄ．デジタルカメラ１の動作
第２の実施の形態も、図１に示したものと同様の構成を有するデジタルカメラ１を用いることにより本発明の撮像装置を実現する。
以下、第２の実施の形態のデジタルカメラ１の動作を図５及び図６のフローチャートにしたがって説明する。
【００６９】
ユーザのモード切替キーの操作により撮影モードに設定されると、ＣＰＵ１０は、ＣＣＤ５により撮像を開始させ、信号処理部９によって生成された輝度色差信号の画像データをバッファメモリ（ＤＲＡＭ１２）に記憶し、該記憶された被写体の画像データを画像表示部１６に表示させるというスルー画像表示を開始させる（ステップＳ５１）。
【００７０】
次いで、ＣＰＵ１０は、ユーザによってズーム操作が行なわれたか否かの判断を行う（ステップＳ５２）。このズーム操作が行なわれたか否かの判断は、ズームキー（「Ｔ」キー、「Ｗ」キー）の操作に対応する操作信号がキー入力部１５から送られてきたか否かにより判断する。なお、ズームレンズ３がＷｉｄｅ端にある状態で、「Ｗ」キーの操作が行なわれた場合や、ズームレンズ３がＴｅｌｅ端にある状態で、「Ｔ」キーの操作が行なわれた場合には、それ以上、ズームレンズ３を動かすことができないので、ズーム操作が行なわれたと判断しない。
【００７１】
ステップＳ５２で、ズーム操作が行われていないと判断するとステップＳ６１に進み、ステップＳ５２で、ズーム操作が行われたと判断すると、ＣＰＵ１０は、ズーム操作は、ズームアップ操作であるか否かの判断を行う（ステップＳ５３）。この判断は、「Ｔ」キーの操作に対応する操作信号がキー入力部１５から送られてきたか否かにより判断する。
ステップＳ５３で、ズームアップであると判断すると、ＣＰＵ１０は、現在ＣＣＤ５により撮像された画像データをサブ画像データとして、バッファメモリのサブ画像記憶領域に記憶し、該記憶したサブ画像データの画像をスルー画像とともに、画像表示部１６に表示させる処理を開始する（ステップＳ５４）。
なお、サブ画像記憶領域にサブ画像データが既に記憶されている場合には、新たに撮像された画像データ（サブ画像データ）を上書きして記憶させる。
【００７２】
次いで、ＣＰＵ１０は、ズームアップ操作にしたがって（キー入力部１５から送られてくる「Ｔ」キーの操作に対応する操作信号にしたがって）、レンズ駆動ブロック４に制御信号を送ることによりズームレンズ３を移動させる（ステップＳ５５）。
次いで、ＣＰＵ１０は、ズーム操作に対応した大きさで、ズーム枠２３をサブ画像２２上に重ねて表示させる（ステップＳ５６）とともに、位置算出部１１により算出された位置に基づく位置にズーム枠２３を表示させる（ステップＳ５７）。
【００７３】
なお、ＣＰＵ１１は、サブ画像２２を画像表示部１６に表示させている間は、位置算出部１１にズーム枠の表示位置の算出を一定周期毎に行わせている。また、ここでは、位置算出部１１は、画像認識処理によりサブ画像２２と現在撮像された画像（スルー画像表示されている画像）とを認識し、対比することによりズーム枠の表示位置を算出するようにする。
【００７４】
次いで、ＣＰＵ１０は、ズームが終了したか否かの判断を行う（ステップＳ５８）。このズームが終了したか否かの判断は、ズームアップ操作に対応する操作信号がキー入力部１５から連続して送られてこなくなった場合、あるいはズームレンズ３がＴｅｌｅ端に達した場合には、ズームが終了したと判断する。
ステップＳ５８でズームが終了していないと判断すると、ステップＳ５５に戻り、ステップＳ５８でズームが終了したと判断すると、ＣＰＵ１０は、タイマーをスタートさせる（ステップＳ５９）。
次いで、ＣＰＵ１０は、現在撮像されている画像データに基づいて、位置算出部１１により算出されたズーム枠の表示位置に基づいてズーム枠２３を表示させ（ステップＳ６０）、ステップＳ６１に進む。これにより、現在撮像している画像がサブ画像２２のどの部分に対応する画像であるかをユーザは認識することができる。
【００７５】
ステップＳ６１に進むと、ＣＰＵ１０は、ユーザによってシャッタボタンが押下されたか否かの判断を行う。この判断は、シャッタボタン押下に対応する操作信号がキー入力部１５から送られてきたか否かにより判断する。
ステップＳ６１で、シャッタボタンが押下されていないと判断すると、ＣＰＵ１０は、ユーザによってズーム操作が行なわれたか否かを判断する（ステップＳ６２）。
【００７６】
ステップＳ６２で、ズーム操作が行われていないと判断すると、現在サブ画像２２を画像表示部１６に表示させているか否かを判断し（ステップＳ６３）、現在サブ画像２２を画像表示部１６に表示させている場合にはステップＳ６０に戻り、サブ画像２２を表示させていない場合はステップＳ６１に戻る。
一方、ステップＳ６２で、ズーム操作が行われたと判断すると、ＣＰＵ１０は、現在サブ画像２２を表示させているか否かを判断する（ステップＳ６４）。
【００７７】
ステップＳ６４で、サブ画像２２を表示させていると判断すると、ＣＰＵ１０は、タイマーの計時に基づいて所定時間が経過したか否かを判断する（ステップＳ６５）。
ステップＳ６４でサブ画像２２が表示されていないと判断された場合、ステップＳ６５で所定時間が経過したと判断された場合は、ステップＳ５３に戻り、ズームアップ操作か否かを判断し、ズームアップ操作であると判断すると上記した動作を繰り返す。
【００７８】
一方、ステップＳ６５で、所定時間が経過していないと判断すると、ＣＰＵ１０は、ズーム操作がズームアップ操作であるか否かを判断し（ステップＳ６６）、ズームアップ操作であると判断するとステップＳ５５に戻り、ズーム操作にしたがってズームレンズ３を移動させるとともに、ズーム操作に対応した大きさ、及び算出された表示位置でズーム枠２３を表示させる（ステップＳ５６及び５７）という上記した動作を繰り返す。つまり、ズームアップ終了後所定時間経過前にズームアップ操作が行なわれた場合には、表示させるサブ画像２２を新たに記憶させることなく（更新させることなく）、そのまま表示させる。
【００７９】
ユーザは、撮影したい被写体に対して大雑把にある程度ズームアップさせていき、その後、ズームの微調整を行なうというのが通常であり、微調整のときにおいてもズームアップが行なわれる度にサブ画像２２を更新する必要性も少なく、又、煩わしさを感じるため、ズームアップ終了後所定時間経過前にズームアップが行なわれた場合は、サブ画像２２の更新を行なわないというものである。
一方、ステップＳ５３、ステップＳ６６で、ズームアップ操作でないと判断された場合は、ズームダウン操作と判断して、図６のフローチャートのステップＳ６７に進み、ＣＰＵ１０は、現在サブ画像２２を画像表示部１６に表示させているか否かを判断する。
ステップＳ６７で、現在サブ画像２２を画像表示部１６に表示させていないと判断すると、ＣＰＵ１０は、ズームダウン操作にしたがって（キー入力部１５から送られてくる「Ｗ」キーの操作に対応する操作信号にしたがって）、レンズ駆動ブロック４に制御信号を送ることによりズームレンズ３を移動させる（ステップＳ６８）。
【００８０】
次いで、ＣＰＵ１０は、ズームが終了したか否かの判断を行う（ステップＳ６９）。このズームが終了したか否かの判断は、ズームダウン操作に対応する操作信号がキー入力部１５から連続して送られてこなくなった場合、あるいはズームレンズ３がＷｉｄｅ端に達した場合には、ズームが終了したと判断する。
ステップＳ６９で、ズームが終了していないと判断するとステップＳ６８に戻り、ズームが終了したと判断すると図５のステップＳ６１に進みシャッタボタンが押下されたか否かの判断を行う。
【００８１】
一方、ステップＳ６７で、現在サブ画像２２を画像表示部１６に表示させていると判断すると、ＣＰＵ１０は、ズームダウン操作にしたがって、レンズ駆動ブロック４に制御信号を送ることによりズームレンズ３を移動させる（ステップＳ７０）。
次いで、ＣＰＵ１０は、ズーム操作に対応した大きさで、ズーム枠２３をサブ画像２２上に重ねて表示させる（ステップＳ７１）とともに、位置算出部１１により算出された位置に基づく位置にズーム枠を表示させる（ステップＳ７２）。
【００８２】
ここでは、ズームダウン操作（「Ｗ」キーの操作）が行なわれているので、表示されるズーム枠２３の画角の大きさは、ズームダウン操作に応じて段々大きくなる。
このズーム操作に対応した大きさでとは、現在のズーム倍率に対応する大きさでと同じ意味であり、現在撮像している画像の画角の大きさと、ズーム枠内の画角の大きさとが同じ大きさになるように表示させることとなる。つまり、ズームダウンが行なわれると（ズームキーの「Ｗ」キーの操作が行なわれると）、ズームダウンに応じてズーム枠の画角の大きさも大きくさせてサブ画像２２上に表示させるということになる。
【００８３】
次いで、ＣＰＵ１０は、ズーム枠２３の画角がサブ画像２２の画角と同じになったか否か、つまりサブ画像２２の表示枠とズーム枠２３とが重なってしまったか否かを判断する（ステップＳ７３）。
ステップＳ７３で、ズーム枠２３の画角がサブ画像２２の画角と同じであると判断すると、ＣＰＵ１０は、サブ画像２２及びズーム枠２３の表示を禁止して（ステップＳ７５）、ステップＳ６９に進む。ズーム枠２３の画角とサブ画像２２の画角とが一致した場合には、現在スルー画像表示されている画像の画角と、サブ画像２２の画角とが同じになってしまったということなのでサブ画像２２の表示、及びズーム枠２３の表示を行う必要がなく、この場合はサブ画像２２及びズーム枠２３の表示を禁止する。
一方、ステップＳ７３で、ズーム枠２３の画角とサブ画像２２の画角が同じではないと判断すると、ＣＰＵ１０は、ズームが終了したか否かの判断を行う（ステップＳ７４）。このズームが終了したか否かの判断は、ズームダウン操作に対応する操作信号がキー入力部１５から連続して送られてこなくなった場合、あるいはズームレンズ３がＷｉｄｅ端に達した場合には、ズームが終了したと判断する。
【００８４】
ステップＳ７４でズームが終了していないと判断するとステップＳ７０に戻り、ステップＳ７４でズームが終了したと判断すると図５のステップＳ６１に進み、シャッタボタンが押下されたか否かの判断を行う。
一方、ステップＳ６１で、シャッタボタンが押下されたと判断すると、図６のステップＳ７６に進み、ＣＰＵ１０は、静止画撮影処理を行ない、該撮影処理により得られた静止画像データを圧縮してフラッシュメモリ１４に記録させる。
次いで、ＣＰＵ１０は、該フラッシュメモリ１４に記録させた静止画像データを伸張して画像表示部１６にプレビュー表示させる（ステップＳ７７）。
【００８５】
このように、原則は、ズームアップ操作が行なわれる度にサブ画像２２を更新させて、サブ画像２２を画像表示部１６に表示させるとともに、算出された表示位置、ズーム操作に応じた大きさで、該表示されたサブ画像２２上にズーム枠２３を表示させていく。このときは、ズームアップ操作に応じて表示されるズーム枠２３の大きさは段々と小さくなっていく。
【００８６】
そして、ズームアップ操作が行なわれた場合であっても、ズームアップ操作終了後、所定時間経過前にズームアップ操作が行なわれた場合には、ズームの微調整をユーザが行なっていると判断し、サブ画像２２の更新を行なわずに、ズーム枠２３を、算出された表示位置、ズーム操作に応じた大きさでサブ画像２２上に表示させていく。
【００８７】
また、ズームダウン操作が行なわれた場合は、ズーム枠２３を、算出された位置、ズームダウン操作に応じた大きさでサブ画像２２上に表示させ、つまり、ズームダウン操作に応じて表示されるズーム枠２３は段々と大きくなり、ズーム枠２３の画角とサブ画像２２の画角とが等しくなると、サブ画像２２及びズーム枠２３の表示を禁止する。このときには、サブ画像２２と、スルー画像表示されている画像の画角が等しくなってしまったので、サブ画像２２を表示させている意味がないからである。
【００８８】
Ｄ．以上のように、第２の実施の形態においては、ズームアップがされる度に、そのときに撮像された画像データをサブ画像データとして記憶し、該記憶したサブ画像２２をスルー画像とともに表示させるので、ズームアップ後に撮影対象物がフレームアウトした場合であっても、サブ画像２２を見ることにより該対象物がどこに存在するかをユーザは認識することができる。
また、サブ画像２２上にズーム枠２３を表示させるので、今どこの範囲をズームしているのかをユーザは認識することができる。
【００８９】
また、ズームアップが行なわれる前に撮像された画像をサブ画像２２として表示させるので、ズームアップが行われてもユーザはズーム前の画角でカメラを構え続けているような感覚を得ることができる。
また、ズームアップ後所定時間が経過する前にズームアップが再び行なわれた場合は、サブ画像２２を更新させないので、ズームを小刻みに行なう場合が多いズーム調整時には、不必要なサブ画像２２の更新が行われずにすみ、また、小刻みにサブ画像２２が更新されるというユーザの煩わしさを無くすことができる。
【００９０】
なお、上記各実施の形態においては、ズームキーの操作に応じて表示させるズーム枠２３の大きさを決めていたが、画像認識処理によりスルー画像表示されている画像とサブ画像２２との画像を認識し、対比することにより、ズーム枠２３の大きさを決めるようにしてもよい。つまり、スルー画像表示されている画像を認識し、サブ画像２２のうちその認識した画像と同じ部分の画像が丁度収まる大きさをズーム枠２３の大きさとするようにする。
【００９１】
また、上記各実施の形態においては、サブ画像２２上にズーム枠２３を表示させるようにしたが、サブ画像２２上にズーム枠２３を表示させないようにしてもよい。ズーム枠２３を表示させていなくても、ユーザはサブ画像２２のうちどの部分が今ズームされているのかを認識することができるからである。
【００９２】
また、上記各実施の形態においては、ズームアップ操作（「Ｔ」キーの操作）の直後に撮像された画像データをサブ画像２２として表示させるようにしたが、ズームアップ操作の直前に撮像された画像データをサブ画像２２として表示させるようにしてもよいし、ズームアップ操作時に撮像された画像データをサブ画像２２として表示させるようにしてもよい。
【００９３】
また、上記各実施の形態においては、スルー画像表示中にサブ画像２２やズーム枠２３を表示させるようにしたが、動画の撮影記録を行なっている最中においても、本発明のサブ画像２２やズーム枠２３を表示させるようにしてもよい。
【００９４】
また、上記第２の実施の形態においては、ズームアップ操作終了後、所定時間経過後にズームアップ操作が行なわれた場合は表示させるサブ画像２２の更新を行い、所定時間経過前にズームアップ操作が行なわれた場合にはサブ画像２２の更新を行なわないようにしたが、ズームアップ操作された際には必ずサブ画像２２の更新を行うようにしてもよい。
また、上記第２の実施の形態においては、ズームアップ操作終了後、所定時間経過後にズームアップ操作が行なわれた場合は表示させるサブ画像２２の更新を行い、所定時間経過前にズームアップ操作が行なわれた場合にはサブ画像２２の更新を行なわないようにしたが、２種類の（２つの）ズームキーを設け、一方のズームキーによってズームアップが行なわれた場合は表示させるサブ画像２２の更新を行い、他方のズームキーによってズームアップが行なわれた場合にはサブ画像２２の更新を行なわないようにしてもよい。この場合、他方のズームキーによりズームアップが行なわれ、サブ画像２２上が表示されている状態の場合には、ズーム枠２３の大きさ、位置のみを変えることになる。
【００９５】
また、上記第２の実施の形態においては、ズームアップが終了してから、所定時間が経過する前にズームアップがされた場合には、ズームの微調整が行なわれていると判断するようにしたが、ズームアップのズーム量が所定量以下の場合はズームの微調整が行なわれていると判断して、サブ画像２２の更新を行なわずにズーム枠２３の大きさ、位置のみを変え、ズームアップのズーム量が所定量以上の場合にはサブ画像２２の更新を行なってズーム枠２３の大きさ、位置を変えるようにしてもよい。
また、上記第２の実施の形態においては、ズームアップが終了してから、所定時間のみサブ画像２２の表示を行なうようにしてもよい。
【００９６】
また、上記第２の実施の形態においては、ズームアップが終了してから、所定時間が経過した場合には、所定時間経過後に撮像された画像データをサブ画像２２として表示させるようにしてもよい。
【００９７】
［変形例］
上記各実施の形態は、以下のような変形例も可能である。
（１）以下、説明する変形例は、ズームアップを開始すると、ズームの中心位置を記憶し、該記憶した位置がスルー画像からはみ出すと、該マークした部分がどこにあるかをユーザに知らせるというものである。
【００９８】
図２のステップＳ５で、又は、図５のステップＳ５４で、現在撮像した画像データをサブ画像データとしてバッファメモリのサブ画像記憶領域に記憶し、該記憶したサブ画像２２を画像表示部１６に表示させるとともに、ズームアップがされたときの画像の中心部分の被写体にマークを付する。
図７（ａ）は、そのときの様子を示すものであり、マーク２４は、画像の中心部分、ここでは、顔の中心部分に位置していることがわかる。
【００９９】
そして、図２のステップＳ８、ステップＳ１２、ステップＳ１５、図３のステップＳ１９、図５のステップＳ５７、ステップＳ６０で、図６のステップＳ７２で、算出された位置に基づいてズーム枠の表示を行うと、スルー画像表示されている（ＣＣＤ５により撮像された）画像の中に、該マークした部分が存在するか否かの判断を行う。
この判断は、位置算出部１１により算出された位置及びズームキーの操作に基づいて該マークした部分がスルー画像表示されている画像に存在するか否かについて判断する。つまり、該マークした位置に対応するサブ画像２２の位置がサブ画像上のズーム枠２３内にあるか否かにより判断することとなる。
【０１００】
次いで、該マークした部分がスルー画像表示されている画像の中に存在しないと判断すると、スルー画像に重ねて、該マークした方向を示す情報（例えば、矢印や文章など）を表示して、図２のステップＳ９、ステップＳ１３、ステップＳ１６、図３のステップＳ２０、図５のステップＳ５８、ステップＳ６１、図６のステップＳ７３にそれぞれ進む。
図７（ｂ）は、該マークした部分がスルー画像表示されている画像の中に存在しないと判断されたときの、画像表示部１６の様子を示すものである。
【０１０１】
図７（ｂ）を見るとわかるように、マーク２４を合わせた部分は上の方にあるので、上方向の矢印がスルー画像とともに表示されているのがわかる。
これにより、撮影したい被写体（部分）がスルー画像上からはみ出した場合で合っても、その被写体の方向を教えてくれるので、簡単に撮影したい被写体の場所がわかる。
なお、画像表示部１６にサブ画像２２が表示されていない場合であっても、撮影したい被写体がスルー画像上からはみ出した場合には、その被写体の方向を示す情報を表示させるようにしてもよい。
また、ズームアップがされたときの画像の中心部分の被写体にマークを付するようにしたが、ユーザがマークを付する部分を選択することができるようにでしてもよい。
【０１０２】
（２）以下、説明する変形例は、スルー画像表示時に撮像された複数の画像データを用いて、１枚の大きな画角の画像データを生成し、それをサブ画像２２として表示させるというものである。
スルー画像表示を開始すると（このときは、ズームレンズ３はＷｉｄｅ端）、ＣＰＵ１０は、所定時間の間、ＣＣＤ５により撮像された複数の画像データを用いて画角の大きい１枚の画像データを生成する。
そして、該合成した画像データをサブ画像２２として記憶し、被写体のスルー画像とともにサブ画像２２を表示させる。このとき、サブ画像２２上には、上記実施の形態と同じ方法によりズーム枠２３を表示させる。
【０１０３】
図８（ａ）は、そのときの画像表示部１６に表示された画像の様子を示すものである。
そして、ＣＰＵ１０は、ユーザによって十字キーが操作されたか否かを判断し、操作された場合には、該操作にしたがって、表示させるサブ画像２２をスクロールさせる。
図８（ｂ）は、図８（ａ）に示す状態で、ユーザが十字キーの「→」キーを操作したときの様子を示すものであり、表示されているサブ画像２２が右にスクロールされたのがわかる。このときも、上記実施の形態と同じ方法によりズーム枠２３を表示させる。
【０１０４】
（３）以下、説明する変形例は、静止画撮影処理が行なわれた画像に対応するサブ画像２２上の部分をグレー反転により表示させることにより、撮影済み範囲をユーザに知らせるというものである。
図９（ａ）に示した状態で、シャッタボタンが押下されて静止画撮影処理により得られた静止画像データをフラッシュメモリ１４に記録し、再びスルー画像表示状態に復帰し、サブ画像データを表示させると、ＣＰＵ１０は、該サブ画像２２上に、該静止画撮影処理により得られた静止画像データの画像と同じ部分の画像があるか否かを画像認識処理により判断し、同じ画像の部分がある場合には該部分をグレー反転表示させる。
【０１０５】
図９（ｂ）は、そのときの様子を示すものであり、サブ画像２２上に撮影された画像と同じ範囲の画像がグレー反転表示されているのがわかる。
そして、また、静止画撮影処理を行うと、該撮影処理により得られた静止画像データと同じ部分の画像はグレー反転表示されることになるので、静止画撮影処理を行う度にグレー反転表示される部分が多くなっていく。
【０１０６】
なお、画像認識処理により、サブ画像２２上に静止画像データの画像と同じ部分の画像があるか否かを判断するようにしたが、静止画撮影処理を行ったときに位置算出部１１により算出された位置、及び、そのときのズームレンズ３のレンズ位置に基づいて、グレー反転表示される位置、大きさを定めるようにしてもよい。つまり、撮影時に表示されていたズーム枠２３内の画像がグレー反転表示される方法であればなんでもよい。
また、撮影された範囲をグレー反転表示させるのではなく、要は、撮影した場所が撮影済み範囲であるとわかるように、ユーザに認識させればよいので、図１０に示すように、撮影済み範囲にマークを付して表示させるようにしてもよい。
【０１０７】
（４）以下、説明する変形例は、静止画再生中にＣＣＤ５により撮像されたスルー画像をサブ画像２２として表示させるというものである。
図２のステップＳ２３、図６のステップＳ７６で、該記録した静止画像データの表示を行うと、ズームレンズ３をＷｉｄｅ端、つまり、ズーム倍率が１倍となるようなレンズ位置にズームレンズ３を移動させるとともに、該記録した静止画像データの表示を行う（ステップＳ２４、ステップＳ７７）。
【０１０８】
そして、ＣＣＤ５による撮像を開始させ、該撮像された画像データ（スルー画像データ）をサブ画像２２として表示させる。つまり、上記実施の形態においては表示されるサブ画像２２は静止画であったが、ここでは動画が表示されることになる。つまり、図４（ｂ）を用いて説明すると、画像表示部１６に大きく表示されている画像は静止画像であり、サブ画像２２は動画であるということになる。
【０１０９】
そして、該再生表示されている静止画像がサブ画像２２のどの部分の画像であるかを示すズーム枠２３を表示させる。このときのズーム枠２３の画角の大きさは該静止画撮影を行なったときのズーム倍率に基づいて定められ、ズーム枠２３の表示位置は静止画撮影時に位置算出部１１によって算出された位置に基づいて定められる。
さらに、静止画再生中に被写体のスルー画像をサブ画像２２として表示させるとともに、静止画再生中にシャッタボタンが押下されると、現在再生表示されている静止画を撮影したときのズームレンズ３の位置にズームレンズ３を移動させて静止画撮影処理を行うようにしてもよい。つまり、ズーム枠２３内の画像に対応する画像が撮影されることになる。
なお、静止画再生直前に設定されていたズームレンズ３の位置（ズームレンズ３をＷｉｄｅ端に移動させる直前の位置）にズームレンズ３を移動させて静止画撮影処理を行うようにしてもよい。
【０１１０】
（５）上記各実施の形態においては、一つの画像表示部１６に、スルー画像又は再生画像を表示させるとともに、サブ画像２２を表示させるようにしたが、画像表示部を２つ設け、一方の画像表示部にスルー画像又は静止画像を表示させ、他方の画像表示部にサブ画像２２（及びズーム枠２３）を表示させるようにしてもよい。
（６）上記各実施の形態においては、１つの撮影レンズ（フォーカスレンズ２、ズームレンズ３等）と、ＣＣＤ５を用いて行なうようにしたが、さらに広角用の撮影レンズ及びＣＣＤ（広角用撮影ユニット）をも備えるようにしてもよい。
この広角用撮影ユニットはズーム機能を有せず、Ｗｉｄｅ端にズームレンズ３が位置しているときにＣＣＤ５により撮像される画像データの画像の画角と、撮影ユニットにより撮像される画像データの画像の画角とが同一となるように設定しておく。
そして、ＣＣＤ５により撮像されたスルー画像を表示させるとともに、広角用撮影ユニットにより撮像されたスルー画像をサブ画像として表示させる。このときも、ズーム枠２３をサブ画像上に重ねて表示させる。
なお、ズームレンズ３がＷｉｄｅ端位置にない場合にのみ、広角用撮影ユニットにより撮像されたスルー画像をサブ画像として表示させるようにしてもよい。
これにより、リアルタイムに画像の全体と、ズームアップされた画像とを認識することができる。
【０１１１】
最後に、上記各実施の形態におけるデジタルカメラ１は、上記の各実施の形態に限定されるものではなく、カメラ付き携帯電話、カメラ付きＰＤＡ、カメラ付きパソコン、カメラ付きＩＣレコーダ、又はデジタルビデオカメラ等でもよく、要は光学ズーム機能を備えた機器であれば何でもよい。
【符号の説明】
【０１１２】
１      デジタルカメラ
２      フォーカスレンズ
３      ズームレンズ
４      レンズ駆動ブロック
５      ＣＣＤ
６      垂直ドライバ
７      ＴＧ
８      ユニット回路
９      信号処理部
１０    ＣＰＵ
１１    位置算出部
１２    ＤＲＡＭ
１３    ＲＯＭ
１４    フラッシュメモリ
１５    キー入力部
１６    画像表示部
【図１】
2011101429.tif 000003
【図２】
2011101429.tif 000004
【図３】
2011101429.tif 000005
【図４】
2011101429.tif 000006
【図５】
2011101429.tif 000007
【図６】
2011101429.tif 000008
【図７】
2011101429.tif 000009
【図８】
2011101429.tif 000010
【図９】
2011101429.tif 000011
【図１０】
2011101429.tif 000012
【手続補正書】
【提出日】平成23年3月4日(2011.3.4)
【手続補正１】
【補正対象書類名】明細書
【補正対象項目名】０００６
【補正方法】変更
【補正の内容】
【０００６】
上記目的達成のため、請求項１記載の発明による撮像装置は、ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
上記目的達成のため、請求項２記載の発明によるプログラムは、ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
表示手段と、
を備えた撮像装置を実行させるためのプログラムであって、
前記第１の撮像手段により得られた画像データ及び前記第２の撮像手段により得られた前記ズームレンズがワイド端に位置するときに前記第１の撮像手段により得られる画像データの画角と略同一の画角である画像データを前記表示手段に表示させる処理を実行させることを特徴とする。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
請求項１記載の発明によれば、ズームレンズと、前記ズームレンズを介して投影された被写体の光を画像データに変換する第１の撮像手段と、前記ズームレンズを光軸方向に移動させることにより被写体に対してズームを行なうズーム制御手段と、被写体の光を画像データに変換する第２の撮像手段と、前記第１の撮像手段により得られた画像データ及び前記第２の撮像手段により得られた画像データを表示手段に表示させる表示制御手段と、を備え、前記第２の撮像手段により得られる画像データの画角は、前記ズームレンズがワイド端に位置するときに前記第１の撮像手段により得られるが画像データの画角と略同一であるようにしたので、ズームアップ後に撮影対象物がフレームアウトした場合であっても、サブ画像を見ることにより該対象物がどこに存在するかをユーザは認識することができる。
また、ズームアップが行なわれる前に撮像された画像をサブ画像として表示させるので、ズームアップが行われてもユーザはズーム前の画角でカメラを構え続けているような感覚を得ることができる。
【手続補正３３】
【補正対象書類名】明細書
【補正対象項目名】００３８
【補正方法】変更
【補正の内容】
【００３８】
請求項２記載の発明によれば、デジタルカメラ、パソコン等に読み込ませることにより、本発明の撮像装置を実現することができる。
【手続補正３４】
【補正対象書類名】特許請求の範囲
【補正対象項目名】全文
【補正方法】変更
【補正の内容】
【特許請求の範囲】
【請求項１】
ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする撮像装置。
【請求項２】
ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
表示手段と、
を備えた撮像装置を実行させるためのプログラムであって、
前記第１の撮像手段により得られた画像データ及び前記第２の撮像手段により得られた前記ズームレンズがワイド端に位置するときに前記第１の撮像手段により得られる画像データの画角と略同一の画角である画像データを前記表示手段に表示させる処理を実行させることを特徴とするプログラム。